(57)【特許請求の範囲】
【請求項１】
複数の相互接続片を有する玩具ブロック上に意匠を形成する電気装置であって、
a.少なくとも１つのLEDモジュールを備え、該LEDモジュールは前記玩具ブロックの少なくとも１つ以上の相互接続片の所定の位置に該LEDモジュールを固着する手段を有し、更に
b.前記少なくとも１つのLEDモジュールを照光させる電力を提供するバッテリーパック手段と、
c.前記玩具ブロックの前記相互接続片に形成された導電性組成物手段と
を備え、該相互接続片が相互に接続されると、前記少なくとも１つのLEDモジュールとバッテリーパック手段との間がつながり、前記少なくとも１つのLEDモジュールを作動させる電流が供給されるとともに、前記導電性組成物手段は、前記相互接続片の表面に配置されて着色されており、該着色が実質上前記導電性組成物の非導電部分にされていて、前記玩具ブロックに施された意匠の少なくとも一部を形成していることを特徴とする電気装置。
【請求項２】
導電性組成物手段は比較的低い電流を所要の電圧で供給するように比較的高い導電率と比較的低い抵抗率を有することを特徴とする請求項１に記載の電気装置。
【請求項３】
前記バッテリーパック手段を前記導電性組成物手段に取外し自在に接続する手段を備え、該接続手段はバッテリーパック手段から導電性組成物手段へ電流を導くための手段を有することを特徴とする請求項１に記載の電気装置。
【請求項４】
前記少なくとも１つの電流により作動するモジュールの作動を制御する手段を更に備えることを特徴とする請求項１に記載の電気装置。
【請求項５】
物体上で使用する電気装置であって、
前記物体上の所定位置にモジュールを固着する手段を有する少なくとも１つの電流により作動するモジュールと、
前記少なくとも１つの電流により作動するモジュールを作動させるための電流を供給するバッテリーパック手段と、
前記電流により作動するモジュールに電流を供給するために前記バッテリーパック手段と前記少なくとも１つの電流により作動するモジュールとを接続する、前記物体の表面に配置された導電性組成物手段と
を備えており、前記導電性組成物手段は着色され、該着色が実質上前記導電性組成物の非導電部分にされている、電気装置。
【請求項６】
前記導電性組成物手段と前記バッテリーパック手段とを脱着可能に接続するための手段を含む請求項５の電気装置。
【請求項７】
電流により作動するモジュールがLEDユニットであり、LEDユニットが前記物体に取り外し可能に接続される、請求項５の電気装置。
【請求項８】
導電性組成物手段が、所要電圧で比較的低い電流を送るために、比較的高い導電率と比較的低い抵抗性を有する、請求項５の電気装置。
【請求項９】
a.物体がパネルを形成する部分を有し、
b.前記導電性組成物手段が前記パネルに固着され、
c.電流により作動するモジュールが前記パネルに組立位置で取り外し可能に接続され、前記導電性組成物手段とつながる、
請求項５の電気装置。
【請求項１０】
導電性組成物手段が、銀の含有量が高く、前記物体への固着を容易にするためのプラスチゾルを含む、請求項５の電気装置。
【請求項１１】
前記少なくとも一つの電流動作モジュールの作動を制御するとともに信号操作する手段をさらに含む、請求項５の電気装置。
【発明の詳細な説明】
技術分野
本発明は、衣服、クラフトプロジェクト、玩具、セラミックプロジェクト、所望の贈物（customized  gift）、購入表示体の一部、広告媒体および特別用途品であって、一般的には、いずれも衣服（apparel）、物体（object）および物（thing）と広く云われているもののモータその他の機械的装置の作動および起動に使用する照明、照明と音、音単独およびその他の電流が関連する作動集成体（assembly）、付属品（attachment）および装置に関するものであり、より特定すると、電流の流路あるいは電流流路とデザインの双方を画成するように衣服、物体および物の内部もしくは外部に適宜固定されおよび／またはかかる衣服、物体および物に所望の電流流路を提供するようにデザインに具現される導電性組成物を含む照明、照明と音または音単独の集成体、付属品および装置に関する。
背景技術
導電性組成物は、本発明において使用される場合には、改質された導電性の液体、インク、ペーストおよびグラニュールを意味するものであり、従って、該組成物は、種々の公知の技術により、かかる衣服、物体および物に一体的に比較的容易に塗布し、被着し、スクリーン処理し、コーティングしあるいはこれらと一体的に成形することができるとともに、乾燥または硬化して、所定の集成体、付属品、キットまたは装置の一部として機能するように固着することができる。
かかる導電性組成物は、一般に、貴もしくは卑金属粉末、炭素、グラファイトまたは他の導電性粒子あるいはこれらの混合物からなり、これらはいずれも、溶媒を含みかつ所望の粘度を有する適宜のビヒクルと、ペーストが硬化または乾燥されて衣服、物体および物に被着された導電性組成物の導電一体性を保持するときにレオロジ制御剤およびバインダとして作用する樹脂との中で混ぜ合わされる。かかる導電性組成物は、顔料または染料とすることができる着色剤を含むことができ、あるいは含まなくてもよい。
本発明に係る付属品、集成体、キットおよび装置に使用される導電性組成物の重要な相違点は、以下において詳細に説明するように、種々の形状において必要とされる電圧で高い伝導率を提供することができることにある。
これは、銀とプラスチゾルベースの高伝導率の化合物とを含む高金属組成の導電性組成物を提供することにより達成される。かかる導電性組成物は、着色剤を含んでもあるいは含まなくてもよく、ニュージャージー州、イースト・ニューアークのエンジェルハード・コーポレイション（Engelhard  Corporation）により製造、市販されている。導電性組成物が着色剤を含む着色導電性組成物は公知であるが、1993年９月24日に出願されたエンジェルハード・コーポレイションの同時に係属する米国特許出願第08/126,342号に詳細に記載されている。本明細書においては、この同時係属出願を引用して、先行技術の背景情報の一部とする。
導電性組成物は、互いに機能的に接続されている小さな機械的装置の、あるいは高導電率が要求されない用途における信号回路に使用されているが、かかる導電性組成物は、本発明に係る付属品、集成体、キットおよび装置の電源回路において必要とされる高導電率を発揮することができない。
公知の着色コーティング組成物については、これらは主として、着色することができる導電性ポリマ、あるいは着色された導電性粒子を使用しまたは組成物において、銀、アルミニウム、銅、青銅、金およびカーボンブロックの天然色のような粒子の色に特有な色を保持することができる導電性ポリマから形成される組成物である。
かくして、最終導電性組成物は、着色されているかどうかに拘らず、物品、物体または物に塗布され、印刷され、スクリーン処理され、コーティングされ、あるいはこれらと一体的に成形されると、操作されているLED、光もしくは音モジュールまたは他の電流作動素子は、所要の電圧で比較的低い電力または電流を必要とするので、かかる付属品、集成体、キットまたは装置のそれぞれに必要な電流と動作信号を送るのに比較的高い導電率と低い表面抵抗率を有するものとなる。
種々の導電性組成物と、該組成物の物理的特性と、所望の導電率および抵抗率条件を提供する手段とが、前記した同時に継続する米国特許出願第08/126,342号に例示されている。前記出願第'342号に例示されている実施例は、着色された導電性組成物に関するものであるが、当業者であれば、本発明の範囲から逸脱することなく、着色されていない導電性組成物において同じ物理的、導電および抵抗特性を得ることができることを容易に認識するものである。
通常は、かかる導電性組成物は、着色されているかどうかに拘らず、有機系であるが、水性系もまた可能である。かかる系は、導電性組成物をフィルム、液体またはペーストの形態に形成し、次いで、導電性組成物を、衣服、物体および物を画成する基体に印刷し、被着し、スクリーン処理し、塗布し、コーティングしあるいは基体と一体的に成形し、次いで、導電性組成物を乾燥および／または硬化して該組成物をかかる衣服、物体および物に固定することにより適用することができる。
本発明においては、所定の用途に必要とされる布、プラスチック、木材、紙、厚紙およびゴムのような種々の材料に適用することができる導電性組成物を適用し、かつ、活性化する数多くの異なる方法がある。これらには、
1.導電性組成物を特定のデザインとは独立して、あるいはかかるデザインの一部として特定の基体の外部または内部に直接塗布し、被着し、スクリーン処理しまたはコーティングする方法、
2.導電性組成物を外部に直接塗布し、被着し、スクリーン処理しまたはコーティングし、次いで、導電性材料の上にデザインを層形成して、下層が導電性流路を提供し、カバー層が非導電性材料のデザインを提供するようにして、照明および／または音の装置を導電性組成物と接触させる方法、
3.導電性組成物を内面例えば、布その他の材料のパネルに塗布し、被着し、スクリーン処理しまたはコーティングし、布その他の材料の外部にデザインを施すことにより、照明または音の装置を関連する導電性材料に特定の物質を介して接続する方法、および
4.導電性材料を、成形などにより、ストライプのような形態をなすプラスチック材料の一部としてまたは特定のプラスチック材料の表面に形成することにより、照明または音の装置をこれに接続して所望の回路を提供する方法がある。
かくして、本発明の導電性組成物は、関連するデザインと同じ色の整合が必要とされるデザインと独立して、あるいはかかるデザインの一部として適用することができるとともに、照明、音の装置または他の電流作動の付属品を組立て機能位置に容易に接続することができるので、用途により大きな有用性を持つことができる。
本発明が特に適用される一のタイプの用途として、公知のタイプの最新の照明、照明と音および／または音単独の集成体、付属品、キットおよび装置の代わりとなる用途があり、かかる集成体、付属品、キットおよび装置は、一般に、少なくとも以下の素子、即ち、先づ複数の発光ダイオード（LED）モジュールおよび／または音モジュールと、LEDモジュールおよび／または音モジュールを組み立て位置に固定、一般には、取外し自在に固定する手段と、前記LEDモジュールおよび／または音モジュールを作動させる電力を供給するバッテリーパック手段と、LEDおよび／または音モジュールの動作を制御するように前記バッテリーパックス手段と連係された制御モジュール手段と、前記LEDおよび／または音モジュールのそれぞれまたは幾つかを前記バッテリーパック手段およびこれに連係する制御手段に独立して接続する物理的な硬質ワイヤなどの電流導通接続ラインとに特徴がある。
このような照明、照明と音および音単独の集成体、付属品、キットおよび装置は市場では周知となっており、例えば、米国特許第4,823,240号、第4,709,307号、第4,599,682号、第4,570,206号、第4,839,777号および第5,113,325号のように、対応する広範囲に亘る目的に向けて衣服、物体および物に使用するかかる種々の装置を記載する数多くの先行特許がある。
これらの形態の集成体、付属品、キットおよび装置はいずれも、例えば、かかる形態物が取着されている衣服をクリーニングしあるいは系の接続を変更するために、素子および部品の幾つかまたは全てを分解することが必要となる。更に、これらの先行技術の付属品、集成体、キットおよび装置はいずれも、ある形態をなす硬質のワイヤ導体、柔軟な回路板、並びに、LEDモジュールおよび／または音モジュールと電流および信号を供給するバッテリーパック手段および制御手段との間で電流導通手段として作用する柔軟な電流導通テープを使用することに特徴がある。
本発明は、着色の有無に拘らず、所要の高伝導率と低抵抗率特性を発揮するように改質された導電性組成物の形態をなす著しく簡単でかつ安価な電流導通手段と、電流および信号をバッテリーパック手段および制御手段からLEDおよび／または音モジュールへ接続供給する手段とを提供することにより、商業的に公知の先行技術に係る特許された付属品、集成体、キットおよび装置の全てを改良するとともに凌ぐことができる。
かくして、本発明に係る改良された付属品、集成体、キットおよび装置は、衣服、物体および物を画成する基体に塗布され、被着され、スクリーン処理されまたはコーティングされあるいは一体的に成形された導電性組成物の一端にLEDおよび／または音モジュールを接続する手段を必要とするとともに、LEDおよび／または音モジュールと作動連係するバッテリパック手段および制御手段が集成体から容易に分離することができるように他端に取外し自在の接続体を提供するものである。
所要の場合には、LEDおよび／または音モジュールは、本発明に係る改良された付属品、集成体、キットおよび装置の分解を更に容易にするように、衣服、物体および物を画成する基体に取外し自在に接続することができる。
導電性組成物を使用すると、改良された付属品、集成体、キットまたは装置を提供することができるとともに、照明、照明と音および音単独の付属品、集成体、キットおよび装置の、かかる付属品、集成体、キットおよび装置が使用される関連する衣服をクリーニングするために行なわれる分解に伴う問題を克服することができる。更に、本発明は、以下においてより詳細に説明しかつ図示するように、照明、照明と音または音単独の付属品、集成体、キットおよび装置を、例えば、玩具、ジグソーパズル、警告信号、機械的物品などに使用または適用する際の容易性および融通性を一層高めることができる。
かかる付属品、集成体、キットおよび装置における着色された導電性コーティング組成物によれば、種々の装置、集成体、キット、玩具およびポップアップ本などの製造者が容易かつ安価にデザインし、製造し、かつ、市場に販売することができるので、商業上の見地から特に有意性を発揮することができる。
発明の概要
かくして、本発明は少なくとも１つの電流作動のモジュールを有する改良された電気装置を提供するものであり、該装置は、対象物上に意匠を形成する電気装置であって、該装置は前記対象物の所定の位置に固着する手段を備えた、少なくとも１つの電流作動モジュールと、前記少なくとも１つの電流作動モジュールを作動させる電流を提供するバッテリーパック手段と、前記電流作動モジュールを作動させる電流を供給するように前記バッテリーパック手段を前記少なくとも１つの電流作動モジュールに接続する導電性組成物手段とを備えている。
本発明の更に別の目的および利点並びに本発明の一層の理解は、添付図面に関する以下の詳細な説明から明らかになるものであり、図面において、
【図面の簡単な説明】
図１は、本発明に係る一の形態にある照明集成体を固着した衣類の概略図であり、導電性組成物は衣類の外部に施されたデザイン、装飾、スローガンなどと作動連係して衣類の外部に固着されており、
図２は、LEDモジュールの１つが図１に示す照明集成体の導電性組成物のストライプを介して接続されている態様を示す概略図であり、
図３は、図１および図２に示す照明集成体の電流移送回路の概略図であり、
図４は、一の形態をなすバッテリーパックと制御部材との複合体と、図面の図１に示す集成体の各導電性組成物のストライプの一端の複合体に対する作動接続とを示す分解図であり、
図５は、本発明に係る別の形態の照明集成体を固着した衣類の物品の概略図であり、集成体のLEDまたは音モジュールが衣類の外部に配置されたデザイン、装飾、スローガンなどと作動連係して配置されるように導電性組成物が衣類の内部に固着されており、
図６は、図４に示す衣類の前部パネルの組立て位置においてLEDモジュールを取外し自在に接続する一の手段を示す図５の６−６線拡大横断面図であり、
図７は、衣服の内部に印刷され、塗布され、スクリーン処理されあるいはコーティングされた導電性組成物と電流を供給しかつLEDモジュールを作動させるバッテリーパックおよび制御手段との間の図５に示す取外し自在の接続体の拡大図であり、
図８は、ジグソーパズルの種々の片に塗布され、かつ、本発明に係る集成体を提供するように複合バッテリーパックおよび制御モジュールに相互接続された導電性組成物を有する分解状態にあるジグソーパズルの平面図であり、
図９は、図８のジグソーパズルの集成体の電流移送回路の概略図であり、
図10は、図８に示すジグソーパズルの集成体の複合バッテリーパックおよび制御部材の分解図であり、
図11は、LEDモジュールが照明集成体の電流および制御源と直列に配置されるようにジグソーパズルの片および部分に固着された本発明に係る照明集成体を有するジグソーパズルの平面図であり、
図12は、個々の音モジュールがジグソーパズルの片と連係されかつ電流および制御源にそれぞれ並列に独立して接続されて、別個に作動することができるように固着された本発明に係る照明集成体を有する別のジグソーパズルの平面図であり、
図13は、本発明に係る照明集成体が固着された子供用玩具ブロックの分解前方斜視図であり、種々の玩具ブロックに形成された導電性組成物に接続されている複合バッテリーパックおよび制御部材を示し、
図14は、図13に示す玩具ブロックの１つの側方斜視図であり、ブロックに塗布された導電性ペイントと、図示のブロックに取着された連係するバッテリーパックと制御部材との複合体を示し、
図15は、図13の本発明の照明集成体の電流移送回路の概略図であり、
図16は、本発明を更に別の形態で備えるスエットシャツの概略正面図であり、導電性組成物材料がスエットシャツの布に組み込まれるように固着されかつ衣類または衣服に接続される付属品、集成体、キットまたは装置を単なる接触により起動するができるように構成されている。
実施例の説明
本発明に係る付属品の一の形態を示す図面の図１乃至４について説明すると、参照番号10で全体示されているスエットシャツの形態をなす衣類は、一般にスクリーン印刷またはプリントされるクリスマスツリーの装飾11を前部パネルの外面に有している。これらのおよび他の装飾を有する衣類は、市場で入手することができ、従って、これ以上詳細には説明しない。
スエットシャツが例示されているが、当業者であれば、本発明に係る付属品、集成体、キットおよび装置のこのような形態および他の形態を、本発明の範囲から逸脱することなく衣服の片または種々の形態をなす布などに適用することができることを容易に理解することができるものである。
参照番号13で全体示されている本発明に係る付属品、集成体または装置においては、14および15で示す２本の離隔配置されたラインの形態をなす改良された導電性組成物が、クリスマスツリーの装飾11の周辺に沿って前部パネル12の外面に印刷され、塗布され、被着され、スクリーン処理されあるいはコーティングされて、複数のランダムに離隔配置されたLEDモジュール16a、16b、16cなどをそれぞれの電流導通接続ライン、例えば、LEDモジュール16aの場合にはライン17と18により、導電性組成物のライン14および15に接続することができるようにしている。これらの構成素子はいずれも、図面の図１、２および３に明示されている。
導電性組成物ライン14および15の、種々のLEDまたは音モジュール16a、16b、16cなどがスエットシャツ10の外部に接続される位置から離隔して配置された端部19および20は、雄型のプラグインコネクタ21および22のような適宜の手段により、参照番号23で全体示されている印刷回路板の図示しない雌形コネクタに取外し自在に接続されており、印刷回路板23は、バッテリ25aおよび25bのような適宜の電源に作動接続されたICチップ24を有している。
印刷回路板23は、参照番号26で全体示されかつ図４において分解した形態で示されているバッテリーパックと制御部材との複合体の一部をなしている。バッテリーパックと制御部材との複合体26はまた、16a、16b、16cなどのようなLEDモジュールおよび／またはLEDモジュールに関して上記した態様でかつ図面の図２に示すようにして導電性組成物に接続することにより、回路に加えることができる音モジュールに電力と作動信号を供給するように、付属品、集成体、キットまたは装置を作動状態に置くオン／オフスイッチ27のような他の素子を有する。
本発明に係るこの付属品、集成体、キットまたは装置の電気回路は、図３に示されており、上記した部材に対応する部材は、この図３においても同じ参照番号で示されている。
別の実施例の説明
図面について更に説明すると、図３、４および５は、同様に、スエットシャツ31のような衣服への使用に適合された、本発明に係る参照番号30で全体示されている別の形態をなす集成体、付属品、キットまたは装置を示す。本発明のこの形態においては、導電性組成物は衣類の内面にコーティングされており、LEDおよび／または音モジュールは、以下において一層詳細に説明するように、導電性組成物に接続されかつ衣類の外部に延びている。
かくして、スエットシャツ31はパネル32を有している。パネルは、図示しない外面に、点線33により概略示されているデザイン、装飾、スローガン、各前などを有している。かかるデザイン、装飾などは、パネルの外面に印刷し、スクリーン処理し、塗布しあるいは箔押することができる。上記した本発明の第１の形態において示したようなかかる装飾、デザイン、スローガンなどを担持するスエットシャツは、市場では周知であるので、これ以上の説明は省略する。
照明、照明および／または音集成体、キットあるいは装置の一般的な概念および用途によれば、照明、照明および／または音あるいは音単独の付属品、集成体、キットまたは装置30は、パネル32の内面に固着または取着されることにより、以下において説明するように集成即ち組み立てられ、照明を行ない、あるいはパネル32の外面の33で示すデザイン、装飾などと作動連係される。
かくして、付属品、集成体、キットまたは装置30は、図示のように、パネル32の対応する複数のスリットまたは開口を介して延びる複数のLEDモジュール34a、34b、34cおよび34dなどを備えており、LEDモジュール34aの横断面図である図２においては、かかるスリットまたは開口は、35aとして１つだけ図示されている。
図２においては、LEDモジュールを集成即ち組立て位置に取外し自在に固着する一の形態が、36aで示すように下端に隣接した外部に螺着されたLEDモジュールを備えるように図示されており、LEDモジュールがパネル32のスリットまたは開口35aを介して挿通されたときに、整合用の螺合素子37aをLEDモジュール34aに取外し自在に螺合させ、LEDモジュール34aを組立て位置に保持するとともに、所望の場合に容易に取外すことができるようにしている。図２に示す取外し自在の接続手段は、1993年１月14日付で出願され、現在米国特許第5,278,734号となっている同時係属の米国特許出願第08/004,718号の発明の要旨を構成するもので、この出願に詳細に説明されている。
LEDモジュール34a、34b、34c、34dなどは、例えば、図２に示すLEDモジュール34aに対する38aおよび39aのような電流導通ラインをそれぞれ有しており、電流導通ラインは、LEDモジュール34aおよび34bに対する39aと40a並びにLEDモジュール34cおよび34dに対する41cおよび42cのように２本のストライプ状の（striped）ラインでパネル32の内面に塗布され、印刷され、スクリーン処理されまたはコーティングされた導電性組成物のラインに適宜の手段により接続されている。図示のLEDモジュールは２つのLEDモジュールがグループをなして連係する導電性組成物のストライプ状のあるラインに接続されているが、当業者であれば、これは単に例示を目的とするものであって、本発明の範囲から逸脱することなく、所定の対の導電性組成物のストリップに１つ以上のLEDモジュールおよび／または音モジュールを配設することができることを容易に理解するものである。
この場合、スエットシャツその他の衣類の前部パネルのデザイン、装飾、スローガンなどを照明するときにLEDモジュールに一層大きな自由度の動きを与えるために、個々のLEDモジュールを硬質ワイヤなどのタイプの電流導通ラインに別個に接続することができることは本技術分野において公知である。
本発明に係る改良された導電性組成物手段は、パネル32を形成する布の内面または外面に固着されかつパネルとともに洗うことができるので、このような構成は、本発明に係る改良された導電性組成物手段を使用することによって、必要のないものとすることができ、LEDまたは音モジュールの位置決めまたは再配置は改良された導電性組成物に対して容易に行なうことができる。
LEDモジュール34a、34b、34c、34dなどに接続される部分から離隔する端部でパネル32の内面に電流および信号流路を形成するそれぞれの導電性組成物ストライプ39a、40a、41cおよび42cは、参照番号44で全体示されている取外し自在または着脱自在のコネクタを介してバッテリーパックと制御部材との複合体43と連通することにより、バッテリーパックと制御部材との複合体43をパネル32の内面の組立て即ち集成位置から取外して交換することができるようにしている。かくして、スエットシャツをクリーニングすることが必要あるいは所望される場合には、LEDモジュールを取外して交換することができるだけでなく、バッテリーパックと制御装置との複合体を比較的容易に取外して交換することができる。しかしながら、改良された導電性組成物の特性により、該組成物が印刷され、スクリーン処理されあるいはコーティングされた衣類または衣服は、導電性組成物に損傷を与えることなく洗うことができる。
本発明の本実施例の形態においては、取外し自在でかつ着脱自在のコネクタ44は、この目的に使用されるだけでなく、導電性組成物のストライプと作動連係させるために導電性を付与して、LEDモジュールを作動させる電流と電力を供給するバッテリーパックと、LEDモジュールを作動させる電子信号を供給する制御手段とを有するLEDモジュール34a、34b、34c、34dなどの間で作動連通を行なわせるように処理もされるVELCRO（登録商標）ファスナからなる。
VELCRO（登録商標）ファスナは本技術分野において周知であるが、取外し自在でかつ着脱自在のコネクタ44として作用するVELCRO（登録商標）ファスナは、本実施例の形態の照明集成体、キットまたは装置の導電性組成物を加えることにより改質しなければならない。かくして、取外し自在でかつ着脱自在のコネクタ44を画成する改質されたVELCRO（登録商標）ファスナの第１のVELCRO（登録商標）部材45は、導電性組成物が塗布またはコーティングされ、エポキシによりあるいは組立て即ち集成位置において縫合されてパネルの内面に固着されることにより、導電性組成物のストライプ39a、40a、41cおよび42cなどは、いずれも図面の図５および７に明示されている導電性組成物のストライプ39a、40a、41c、42cなどに重合、当接または接着するなどの適宜の手段によって、第１のVELCRO（登録商標）部材45と導電連通される。
連係する第２のVELCRO（登録商標）部材46は、２つの目的を有する。先づ、これは、バッテリーパックと制御部材との複合体43により得られる電力および電気信号と連通するように導電性組成物を塗布しまたはコーティングすることにより改質されるが、組立て即ち集成位置において第１のVELCRO（登録商標）部材45の導電性組成物と連通してバッテリーパックと制御部材との複合体43からの電流および制御信号を導電性組成物のストライプ39a、40a、41cおよび42cなどを介してLEDモジュールへ伝送しかつ移送することができるようにしている。次に、取外し自在でかつ着脱自在のコネクタ44を画成する改質されたVELCRO（登録商標）ファスナは、バッテリーパックと制御部材との複合体43の簡単な取外し自在の接続手段を提供するので、何らかの理由で所要の場合あるいは所望の場合には、取外して交換することができる。
本発明のこの実施例は一片の衣服に関して例示されているが、図５、６および７に例示する照明集成体、キットまたは装置は、Ｔシャツ、安全ユニフォーム、天然または人造材料のようなあらゆるタイプの衣服、織物、着用および非着用布に、かつ、帽子、傘、靴、ゴーグルまたは眼鏡、ヘッドバンド、アームバンド、ナップサック、飲料グラスその他の容器のような物体および物に適用することができる。
更に、照明に関する付属品、集成体、キットまたは装置を例示したが、照明および／または音のあるいは音単独の付属品、集成体、キットまたは装置も本発明の範囲から逸脱することなく使用することができる。かかる変形例は、対応する無数の用途を提供するのに適合され、例えば、広告更には安全および健康のためのスローガンを識別するのに適合される。
本発明に係る照明集成体、キットまたは装置は、バッテリーパックとLEDおよび／または音モジュールとの間で電流および制御信号を移送する素子として導電性組成物のストリップを使用するので、以下において説明する図８乃至15に示すようにゲームまたは玩具への使用に容易に適合させることができる。
別の実施例の説明
図８は、参照番号50で全体示されているジグソーパズルに適用されている、本発明に係る照明および／または音の付属品、集成体または装置を示し、ジグソーパズル50は、使用されるとジグソーパズルを形成する複数の連係しかつ相互に接続する片51a、51b、51c、51dなどを有しており、各片の背面には、複数の対をなす電流導通ストライプ52aおよび52b、53aおよび53b、54aおよび54bなどとして導電性組成物が塗布され、被着され、スクリーン処理されあるいはコーティングされることにより、図８には示されていないが、以下において説明する図11および12に示す、複数のLEDモジュール、LEDおよび音のモジュールまたは音モジュールを導電性組成物ストライプ52aおよび52b、53aおよび53b、54aおよび54bに接続することができるようになっている。
ジグソーパズルの片の背面への導電性組成物の塗布またはコーティングについて説明したが、導電性組成物のストライプ52a、52b、53a、53b、54a、54bなどをジグソーパズルの片51a、51b、51c、51dなどの前面または外面に印刷し、塗布し、スクリーン処理し、被着しまたはコーティングすることができるように、着色した導電性組成物および／または無着色の導電性組成物を使用することもできる。
導電性ペイントは、一端が参照番号55で全体示されている適宜の解放自在のコネクタ部材を介して、図５、６および７に示す本発明の形態に関して上記したのと同じタイプのVELCRO（登録商標）ファスナのようなバッテリーパックと制御部材との複合体56と連通している。
本発明に係る照明集成体、キットまたは装置の素子のかかる組合わせによれば、種々の作動構成をジグソーパズルの片の集合体と連係させることができる。更に、導電性ペイントストライプと直列または並列に接続することができる図示しない音楽その他の音の付属品を導入することができる。
別の実施例の説明
図11は、所定のジグソーパズルの各片61a、61b、61c、61dなどの背面に配置された連係する導電性組成物にLEDモジュール62a、62b、62c、62dなどが直列に接続されている本発明に係る照明集成体、キットまたは装置とともに、片61a、61b、61c、61dなどが完全に集成された状態にある、参照番号60で全体示されるジグソーパズルを示す。
導電性組成物のストライプ63と64は、作動電流と信号を導電性組成物のストライプ63および64を介してLEDモジュール62a、62b、62c、62dなどに伝送することができるように、参照番号66で全体示されているバッテリーパックと制御部材との複合体へ参照番号65で全体示されている適宜の解放自在のコネクタにより接続されている各LEDモジュールの取着位置から離隔した端部が連通している。
一の形態のバッテリーパックと制御部材との複合体が図面の図10に示されており、その回路が図面の図９に示されている。かかるバッテリーパックと制御部材との複合体およびこれに連係する回路は開放市場で入手することができ、当業者であれば容易に理解することができるので、これ以上の説明は省略する。
別の実施例の説明
図12は、集成体が平行する導電性組成物のストライプによりバッテリーパックと制御部材との複合体に独立して接続されている音モジュールを使用する構成が図11に示す本発明の形態とは異なる、ジグソーパズルに使用する本発明に係る別の付属品、集成体、キットまたは装置の使用を示す。
かくして、図12において参照番号70で全体示されているジグソーパズルは、完成したジグソーパズル70を提供するように互いに適合された連係しかつ相互に接続する複数のジグソーパズル片71a、71b、71cなどからなる。ジグソーパズル70の種々の連係しかつ相互に接続する複数のジグソーパズル片71a、71b、71cなどに離隔配置されているのは、72a、72b、72c、72dなどとして概略示されている音モジュールであり、ジグソーパズル70の前記片が組み合わされると、各音モジュールは順次、音モジュール72aの導電性ペイントのストライプ73aおよび73b、音モジュール72bの導電性ペイントストライプ74aおよび74b、音モジュール72cの導電性ペイントストライプ75aおよび75bおよび音モジュール72dの導電性ペイントストライプ76aおよび76bのような対をなす作動連係する導電性ペイントのストライプに電気的に接続される。これらの対をなす各導電性ペイントのストライプは、連係する音モジュールに接続された端部とは離隔した各ストライプの端部が、図５、６および７に示す本発明の形態に関して上記したようなVELCRO（登録商標）コネクタによるような、参照番号77で全体示される適宜の解放自在の接続集成体に接続される。しかしながら、本発明のこの形態においては、各音モジュール72a、72b、72cおよび72dは、音モジュールが触れられたときに、４つの異なる音、例えば、猫、角などの音を出すことができるようになっている。これを行なうためには、参照符号Ａ、Ｂ、ＣおよびＤにより示される各導電性組成物のストライプ73a、73b、74a、74b、75a、75b、76aおよび76bは、図面の図10に示すバッテリーパックと制御部材との複合体56の雌形プラグ集成体に装着する図示しない適宜の雄型プラグ手段により接続され、従って、図11に示す回路に接続される。バッテリーパックと制御部材との複合体78は図９および10に分解して図示されているものと実質上同一である。
本発明に係るこの形態の付属品、集成体、キットまたは装置においては、音のモジュールとこれに関連する対をなす導電性ペイントストライプは、バッテリーパックと制御部材との複合体78に独立して接続され、従って、音モジュール72a、72b、72cおよび72dの所望の動作は、バッテリーパックと制御部材との複合体78の制御部材チップにおける設定機能体となる。
本発明の上記した形態の場合と同様の、一のタイプのバッテリーパックと制御部材との複合体が図10に示されている。これらの装置は、所望の形態の動作を行なう電子チップとして公知であり、商業市場において入手することができるものである。従って、図示のこれらの複合装置は、当業者が容易に理解することができるものであるから、これ以上の説明は省略する。
更に別の実施例の説明
本発明の多様性を示す、更に別の形態をなす照明集成体、キットまたは装置が、建築セット、建築ブロックなどのような玩具とともにあるいは玩具と組合わせて使用されるものとして、図13、14、15および16に示されている。
かくして、図13および14には、参照番号80で全体示されている周知の一のタイプの子供用建築ブロックが示されており、この建築ブロックは、ブロックが相互に接続されたときに、例えば、図13に概略示するようなカラムを形成することができるようにつくられた複数の建築ブロック片81a、81b、81cおよび81を有している。
かかるブロックのような玩具、ゲームその他の装置は、例えば、建築セット、LEGO（登録商標）建築ブロックセットなどとして商業市場において入手することができる。これらのセット、玩具、ゲームその他の装置はいずれも、建築物、機械的装置並びに他の形状物、デザインおよび形態物を形成することができる連係しかつ相互連結される構成素子に特徴がある。
本発明は、LEDモジュールを照明しおよび／またはオーディオ装置を作動させる電流および電力とともに、かかるLEDモジュールおよび／またはオーディオ装置を作動させる電子信号を伝送する導電性ペイントストライプを、ブロックに塗布、コーティング、印刷、スクリーン処理することによりまたはブロックと一体的に成形することにより、連係しかつ相互接続される構成素子に容易に適用することができるので、連係しかつ相互接続される構成素子を有するかかる玩具、ゲームその他の装置に特に適合することができ、従って、構成素子即ち部品を一体化すると、電流および他の信号の電気および電子ラインを形成することができる。
導電性組成物の高導電率は、第１に導電性組成物がこのような種々の異なる方法で相互交換性のまたは相互に接続される構成素子即ち部品に被着することができるという理由から、第２に導電性組成物は相互に接続される部品に塗布され、印刷され、スクリーン処理され、コーティングされあるいは該部品と一体的に成形されたときに導電性組成物の高伝導率を損なうことなく比較的低回路抵抗を呈するという理由から、かかる機械的に相互に接続される部品に理想的な適合性を発揮することができる。
かくして、図13および14においては、導電性ペイントのストライプが、建築ブロック片81aに対しては82a、82bで、建築ブロック片81bに対しては83a、83bで、建築ブロック片81cに対しては84a、84bで、建築ブロック片81dに対しては85a、85bで、図示されている。導電性ペイントのストライプ82a、82b、83a、83b、84a、84b、85aおよび85bはそれぞれ、建築ブロックに固着されあるいは建築ブロック内に成形されるので、建築ブロック81a、81b、81cおよび81dが互いに集成されたときに互いに導電接触することになる。
更に、図13および14に示すように、導電性組成物のストライプはまた、塗布し、印刷し、コーティングし、スクリーン処理しあるいは成形することができるので、建築ブロック片81aおよび81dに関して86aおよび86bで示すように、建築ブロック片の内側に電流および信号流路を提供することができるようになる。導電性ペイントのストライプを建築ブロック片の底部へ86aおよび86bで示すように接続すると、建築ブロック81aまたは81dの側に固着されまたは取外し自在に接続されるLEDモジュール87は、建築ブロック片81b、81cおよび81dの連係されかつ相互接続される導電性組成物のストライプ82a、82b、83a、83b、84a、84b、85aおよび85bと連通するように相互接続された建築ブロックの各接続用導電性組成物に接続される電気導通ライン82aおよび82bを有することができる。
バッテリーパックと制御部材との複合体は、建築ブロック81dに関して点線で示すように、連係され、相互接続された建築ブロック片の１つに取着することができ、バッテリーパックと制御部材との複合体を導電性組成物のストライプに接続する適宜のタイプのコネクタ集成体により、バッテリーパックと制御部材との複合体から前記導電性組成物のストライプ並びに連係するLEDモジュールおよび／またはオーディオ装置へ電流および信号を伝送する手段が提供される。
本発明の更に別の実施例の説明
改質された導電性組成物は、付属品、集成体、キットまたは装置が取着された衣類または衣服の着用者がLEDおよび／または音モジュールを接触起動することができる本発明に係る更に別の附属品、集成体、キットまたは装置を提供するようになっている。
かくして、図面の図16について説明すると、参照番号90で全体示されているスエットシャツが図示されており、このスエットシャツは、参照番号92で全体示されかつ点線で示され、デザイン、装飾、スローガンなどを有するパネルを備えた一般的な商業製品である。
スエットシャツ90の布に上記したようにして一体的に固着されているのは、ストライプ93aと93b、94aと94bおよび95aと95bにより示されている改質された導電性組成物材料である。
導電性組成物のストライプ93aおよび93bは、一端がスイッチ手段96と連通し、隔離端部がバッテリーパックと制御部材との複合体97と連通し、スエットシャツの着用者がスイッチ96に接触したときに、バッテリーパックと制御部材との複合体が起動されて電流と作動信号を連係する導電性組成物のストライプ94a、94b、95aおよび95bに給送することにより、導電性組成物のストライプ94aおよび94bに接続されたランダム接続のLEDモジュール97a、97b、97cおよび97dと、ランダム接続の音モジュール98a、98b、98cおよび98dが起動されかつ作動される。
バッテリーパックと制御部材との複合体97と、スイッチ97と、離隔配置されたLEDモジュール97a、97b、97cおよび97d並びに98a、98b、98cおよび98dはいずれも、かかるタイプの付属品の接触制御による操作を容易にすることができるように接続されている。
上記説明は、本発明に係る装置およびシステムの種々の好ましい実施例を示すが、説明したこれらの構成において変更と修正を本発明の精神と範囲から逸脱することなく行なうことができるものであり、かかる変更と修正は請求の範囲に含まれるものである。
産業上の利用可能性
電流導通組成物が集成体、付属品および装置のあらゆるタイプの基体に配設使用され、電流と作動信号を電源を有する電流作動モジュールから、動き、光、オーディオ装置その他の電気作動装置に供給される。電流導通組成物は、電流移送回路において硬質ワイヤ導電体の代替をなすものである。
【図１】
0003645567.tif 000002
【図２】
0003645567.tif 000003
【図４】
0003645567.tif 000004
【図３】
0003645567.tif 000005
【図６】
0003645567.tif 000006
【図７】
0003645567.tif 000007
【図５】
0003645567.tif 000008
【図９】
0003645567.tif 000009
【図８】
0003645567.tif 000010
【図１０】
0003645567.tif 000011
【図１３】
0003645567.tif 000012
【図１１】
0003645567.tif 000013
【図１２】
0003645567.tif 000014
【図１４】
0003645567.tif 000015
【図１６】
0003645567.tif 000016
【図１５】
0003645567.tif 000017